(57)【要約】【課題】本発明は、洪水による河川敷の被害を低減あるいは防止する方法を提案するものである。【解決手段】河川敷に設けた浮上する人工地盤において、当該浮上する人工地盤は浮上体と浮上体に設けた構造物と洪水時浮上体を流出防止する固定部と固定部と浮上体を連結するロープとからなり、浮上体は一ないし複数の中空な函体の集合体若しくは小さな互いに独立した泡体の集合体からなり、固定部はロープにより洪水時浮上体を流水方向に直線状に配列させる河川敷に設けた浮上する人工地盤であり、上記人工地盤において、浮上体は遮水性のシートを椀状に成形されてなり、かつ、排水用装置を備えた河川敷に設けた浮上する人工地盤である。【選択図】図1
2011236607.tif 000002
【特許請求の範囲】
【請求項１】
河川敷に設けた浮上する人工地盤において、当該浮上する人工地盤は浮上体と浮上体に設けた構造物と洪水時浮上体を流出防止する固定部と固定部と浮上体を連結するロープとからなり、浮上体は一ないし複数の中空な函体の集合体若しくは小さな互いに独立した泡体の集合体からなり、固定部はロープにより洪水時浮上体を流水方向に直線状に若しくは互いに干渉しない間隔を設けて平行に配列させる河川敷に設けた浮上する人工地盤。
【請求項２】
請求項1記載の浮上する人工地盤において、浮上体は遮水性のシート又は板からなる椀状成形体であり、かつ、排水用装置を備えた河川敷に設けた浮上する人工地盤。
【発明の詳細な説明】
【技術分野】
【０００１】
本発明は、河川の洪水時にも洪水の影響を受けない河川敷での人工地盤形成技術に属する。
【背景技術】
【０００２】
河川敷は時として、公園あるいは駐車場等として利用されることがある。しかしながら、河川の洪水時は、河川敷に育成した草花等が流出しその機能が乱され、修復に費用が掛かる。  これらの要因により河川敷での植物の育成を継続的に行うことは極めて困難であった。
河川の洪水時、過剰の流水を河川の両側に設けた水路あるいは水槽に導く手段が特願平11-198665、特公昭49-38124に開示されている。また調整池あるいは遊水地の上部に人工地盤を設け洪水時に浮上させる技術が特開2004-324127に開示されている。
洪水があっても河川敷で育成した植物を継続的に維持育てるあるいは公園施設が継続的に機能する技術が求められている。
【先行技術文献】
【特許文献】
【０００３】
【特許文献１】特願平11-198665
【特許文献２】特公昭49-38124
【特許文献３】特開2004-324127
【発明の概要】
【発明が解決しようとする課題】
【０００４】
本発明は、洪水による河川敷の被害を低減あるいは防止する方法を提案するものである。
【課題を解決するための手段】
【０００５】
本第1の発明は、河川敷に設けた浮上する人工地盤において、当該浮上する人工地盤は浮上体と浮上体に設けた構造物と洪水時浮上体を流出防止する固定部と固定部と浮上体を連結するロープとからなり、浮上体は一ないし複数の中空な函体の集合体若しくは小さな互いに独立した泡体の集合体からなり、固定部はロープにより洪水時浮上体を流水方向に直線状に若しくは互いに干渉しない間隔を設けて平行に配列させる河川敷に設けた浮上する人工地盤である。洪水時浮上体を流水方向に直線状に若しくは互いに干渉しない間隔を設けて平行に配列させることで洪水時の浮遊するごみが浮上体に引っかかることがなくなり、安定する。
本第２の発明は、上記浮上する人工地盤において、浮上体は遮水性のシート又は板からなる椀状成形体であり、かつ、排水用装置を備えた河川敷に設けた浮上する人工地盤である。排水用装置を備えることで椀状成形体内に降り溜まる雨水を排除することで浮上体となる。
【発明の効果】
【０００６】
本第1の発明は、河川敷に浮上する人工地盤を配設し、洪水時に浮上させ、固定部にロープで人工地盤が直線状又は互いに干渉しない間隔に平行に配置するように固定したため、浮上時人工地盤に掛る水の抵抗が減少する。直線状に配列するためごみがプランターに引っかかる量が減少するため水に対する抵抗が減少する。
本第２の発明は、遮水シート又は板からなる椀状成形体を浮上体とし、排水装置を備えたため洪水時にも人工地盤として浮上する。
【図面の簡単な説明】
【０００７】
【図１】は、本第1の発明である浮上する人工地盤の概念図である。
【図２】は、浮上体を示す概念図である。
【図３】は、固定部と固定部に結束したロープを示す概念図である。
【図４】は、浮上体の他の例を示す概念図である。
【図５】は、本第２の発明である浮上する人工地盤の概念図である。
【発明を実施するための形態】
【０００８】
以下本発明を、図を用いて、より詳細に説明する。
本発明の人工地盤は、図1に示すように、洪水時水に浮く浮上体と、浮上体に設けた構造物であるプランターと、河川敷に設けた固定部と、洪水時浮上体が流出しないよう固定部と浮上体を結ぶロープからなる。
【０００９】
図では、構造物としてプランターを浮上体に設けている。プランターは、そこで育てる植物に応じてその大きさ、即ち、縦横深さをさだめればよいが、洪水時浮上させるだけの大きさの浮上体を備えなければならない。浮上体はプランターの周囲あるいは底部、その両方に十分な浮力を発生するよう配設する。
【００１０】
図２は、一対の浮上体と構造物部分の拡大図である。
浮上体は独立した小さな泡体が集合したＥＰＳ、水密性の空洞の函等を一ないし複数組み合わせて形成する。構造物は図では植物育成用のプランターとしたが、プランターに限らず公園の遊具の類でもよい。浮上体が支える重量の範囲で適宜選択できる。
【００１１】
図３に示す固定部は、直線状に設けられコンクリート製の梁に設けられ、コンクリート製の梁に所要の間隔で設けられている。固定部に結束されたロープの他端は浮上体に結束されている。図３ａは、固定部が直線状に配設された梁に設けられた状態で、図３ｂは、固定部が平行に設けられた短い梁に設けられた例である。図３ｃは、輪状とされた固定部の例と、ロープの先のフックを示している。
ロープを固定部に結束する位置は浮上体が浮上した時に浮上体及び浮上体に設けた構造物が互いに干渉しない距離を保つように設定される。洪水時に予期される河川敷上の水嵩を考慮してロープの長さ、固定部への結束場所を決めることができる。固定部は河川敷、土手あるいは橋梁に設けることができる。この場合平行にロープを配設することが容易となる。洪水時水中に没しない場所に設けることでロープは洪水時も水に漬かることがないため、ロープに掛るごみの量は水中に没する場所に比べはるかに減少する。
また、複数の固定部を、間隔をあけてハシゴ状に配置し、各固定部にロープを介して構造物であるプランターを結束するものであってもよい。
プランターは、平常時は直線状に並べても互い違いに並べてもよく、固定部とロープの位置関係により定まる範囲に配置しておけばよい。
【００１２】
ロープと固定部の結束は、図では輪状の固定部とフックによっているが、浮上体の浮上時結束が外れない他の手段によってもよい。
【００１３】
浮上体の底部には浮上時回転など防止するため、舵を設けておくこともできる。  舵は浮上時下方部が重く構成された折りたたみの扇状にしておくことで自然に形成される。
【００１４】
ロープの材質は強度の高い繊維を用いて製造されたものが好ましくアラミド繊維などが使用可能である。図では一本のロープでプランターと固定部を連結しているが、固定部を二本平行に並べ前後各二本で四本のロープで固定して浮上時プランターを安定させることもできる。
【００１５】
平常時は、プランターを固定するロープの長さに応じて適宜直線状あるいは千鳥に配列することができる。
【００１６】
図４は、浮上する人工地盤を、河川敷一杯に設けた例を示している。図では固定部は土手に打ち込んだ杭であり、必要な本数の杭を土手の両側に配置して人工地盤を固定している。
【００１７】
図５は、遮水シートを椀状に加工し椀状成形体とした例を河川敷一杯に広げた例を示している。この場合雨水が椀状成形体に溜まると浮上力が失われるので、排水装置を椀状成形体に設け常時排水する。椀状成形体に水が溜まらない状態を保てばシート製の椀状成形体が上記浮上体と同等の機能を示す。椀状成形体に上記と同様の構造物を適宜浮上体の浮力を考慮して配置することができる。椀状成形体は遮水シートに限らず板を成形し水密な椀状成形体とすることでもよい。
【産業上の利用可能性】
【００１８】
河川敷の有効利用とし、公園の遊具、植栽あるいは農業用途に使用できる。
【符号の説明】
【００１９】
１  人工地盤
１１  浮上体
１２  構造物
１３  ロープ
１４  舵
２  固定部
３  河川
３１  河川敷
３２  土手
４  椀状成形体
４１  遮水シート
【図２】
2011236607.tif 000003
【図３】
2011236607.tif 000004
【図１】
2011236607.tif 000005
【図４】
2011236607.tif 000006
【図５】
2011236607.tif 000007